(57)【要約】      （修正有）【課題】ハイブリッド・ネットワーク動作のための修正されたネットワーク管理方法および装置を提供する。【解決手段】ネットワークはＬＴＥネットワークおよびＣＤＭＡ  １Ｘネットワークを含み、携帯機器はＬＴＥネットワークに登録される間にＣＤＭＡ  １Ｘ音声通話を発信できる。携帯機器がＣＤＭＡ  １Ｘネットワークに接続される間にＬＴＥネットワークのための情報を同時に測定できるように、携帯機器のＬＴＥネットワークへ報告される測定及び挙動を修正する。携帯機器は、１つ以上の後続の報告に、ＬＴＥネットワークから離脱した時間の長さを含める。【選択図】図２ａ
2015133715.tif 000002
【特許請求の範囲】
【請求項１】
ハイブリッド動作の間の無線測定を修正するように構成された装置であって、
１以上の無線インタフェースと、
１以上のプロセッサ要素と、
前記１以上の無線インタフェースを前記１以上のプロセッサ要素と接続するように構成されたスイッチング要素と、
少なくとも１つのコンピュータプログラムを記憶したコンピュータで読取り可能な記憶媒体と
を備え、
前記少なくとも１つコンピュータプログラムは、前記１以上のプロセッサ要素の少なくとも１つにより実行された場合に、
前記１以上のプロセッサ要素のうちの少なくとも第１のプロセッサを、前記１以上の無線インタフェースのうちの第１のインタフェースと接続し、
前記第１のプロセッサの接続を、前記１以上の無線インタフェースのうちの第２のインタフェースに切り替え、
前記第２のインタフェースへ切り替えられている間、前記第１のインタフェースに関連する１以上のコンテキスト情報をトラッキングする
ように構成されたことを特徴とする装置。
【請求項２】
前記少なくとも１つのコンピュータプログラムは、実行された場合に更に、
前記少なくとも第１のプロセッサの接続を、前記１以上の無線インタフェースのうちの前記第１のインタフェースへ戻すように切り替え、トラッキングされた１以上のコンテキスト情報で少なくとも１つの無線測定を補強させる
ように構成されたことを特徴とする請求項１に記載の装置。
【請求項３】
前記第１のインタフェースは、データ専用ネットワークを含むことを特徴とする請求項２に記載の装置。
【請求項４】
前記１以上のコンテキスト情報は、切り替えられた動作の継続期間を含むことを特徴とする請求項３に記載の装置。
【請求項５】
前記少なくとも１つの無線測定は、前記継続期間に基づき調整され、
前記第１のインタフェースはＬＴＥ（Long Term Evolution）に準拠する無線送受信器を含むことを特徴とする請求項４に記載の装置。
【請求項６】
間欠的な動作に基づき１以上の測定を修正するための方法であって、
ある継続時間において第１のネットワークから離脱する工程と、
前記継続時間において、前記第１のネットワークと関連する１以上のコンテキスト情報をトラッキングする工程と、
前記第１のネットワークの動作を再開する工程と、
前記１以上のコンテキスト情報に従って、少なくとも１つの測定を調整する工程と、
前記調整された少なくとも１つの測定を第１のネットワークへ通知する工程と
を備えることを特徴とする方法。
【請求項７】
前記継続時間の間に第２のネットワークへ同調する工程を更に備えることを特徴とする請求項６に記載の方法。
【請求項８】
前記第１のネットワークはデータ専用ネットワークであることを特徴とする請求項７に記載の方法。
【請求項９】
前記離脱は、ユーザが開始した音声通話に基づくことを特徴とする請求項８に記載の方法。
【請求項１０】
前記離脱は、前記第２のネットワークのページングのスケジュールに基づくことを特徴とする請求項８に記載の方法。
【請求項１１】
少なくとも第１のネットワークと第２のネットワークとにおけるハイブリッド動作のためにネットワーク管理を修正する方法であって、
前記第１のネットワークに関連する１以上の第１の動作を停止する工程と、
前記停止の間に１以上のコンテキスト情報を保持する工程と、
前記保持された１以上のコンテキスト情報に少なくとも部分的に基づいて、１以上のネットワーク管理パラメータを修正する工程と
を備えることを特徴とする方法。
【請求項１２】
前記第１のネットワークの停止の間に、前記第２のネットワークに関連する１以上の第２の動作を実行可能とする工程を更に備えることを特徴とする請求項１１に記載の方法。
【請求項１３】
タイマーの満了に応じて、前記第１のネットワークに関連する前記１以上の第１の動作を再開し、前記第２のネットワークに関連する前記１以上の第２の動作を無効にする工程を更に備えることを特徴とする請求項１２に記載の方法。
【請求項１４】
前記第１のネットワークの１以上のコンテキスト情報を、前記停止の間にトラッキングされた少なくとも１以上の更新されたコンテキスト情報により補強する工程を更に備えることを特徴とする請求項１１に記載の方法。
【請求項１５】
前記１以上のコンテキスト情報は、セル選択データを含むことを特徴とする請求項１１に記載の方法。
【請求項１６】
前記１以上のコンテキスト情報は、システム情報ブロック（ＳＩＢ）情報を含むことを特徴とする請求項１１に記載の方法。
【請求項１７】
前記１以上のコンテキスト情報は、無線リンク監視情報の履歴を含むことを特徴とする請求項１１に記載の方法。
【請求項１８】
前記１以上のコンテキスト情報は、間欠受信（ＤＲＸ）の試行数を含むことを特徴とする請求項１１に記載の方法。
【請求項１９】
前記第１のネットワークはデータ専用ネットワークであることを特徴とする請求項１１に記載の方法。
【請求項２０】
前記第１のネットワークは、ＬＴＥ（Long Term Evolution）ネットワークであることを特徴とする請求項１９に記載の方法。
【発明の詳細な説明】
【技術分野】
【０００１】
本出願は、それぞれが本明細書に参照として組み込まれる米国特許出願６１／４８８，６４９（２０１１年５月２０日出願、名称「ハイブリッド・ネットワーク環境におけるクライアント・サーバ間のインタラクションのための装置および方法」）、米国特許出願６１／５９８，８１８（２０１２年２月１４日出願、名称「ハイブリッド・ネットワーク環境におけるクライアント・サーバ間のインタラクションのための装置および方法」）、米国特許出願６１／５９８，３２０（２０１２年２月１５日出願、名称「ハイブリッド・ネットワーク環境におけるクライアント・サーバ間のインタラクションのための装置および方法」）、に対する優先性を主張する同時出願された米国特許出願１３／４７５，４８２（２０１２年５月１８日出願、名称「ハイブリッド・ネットワーク環境におけるクライアント・サーバ間のインタラクションのための装置および方法」）に対する優先権を主張する。
【０００２】
本出願は、それぞれが本明細書に参照として組み込まれる、共有および同時係属の同時出願された米国特許出願１３／４７５，８０２（２０１２年５月１８日出願、名称「ハイブリッド・ネットワーク動作に支援されるネットワークのための装置および方法」）、同時出願された米国特許出願１３／４７５，６５５（２０１２年５月１８日出願、名称「ハイブリッド・ネットワークにおける予定された動作の最適化のための装置および方法」）、米国特許出願６１／＿＿＿＿＿＿（２０１１年４月２５日出願、名称「デュアル・ネットワークの携帯機器無線リソース管理」）、米国特許出願６１／＿＿＿＿＿＿（２０１１年４月２２日出願、名称「複数無線アクセス技術間の共存を支援する単一無線機器」）、米国特許出願６１／＿＿＿＿＿＿（２０１１年４月６日出願、名称「複数ネットワークの携帯機器接続管理」）、米国特許出願６１／＿＿＿＿＿＿（２０１１年１月１４日出願、名称「複数アンテナを用いる機器の動的ローディング」）、米国特許出願６１／＿＿＿＿＿＿（２０１１年１月１４日出願、名称「デュアル回路構造を有する複数モードのユーザ装置」）に関連する。
【０００３】
本発明は一般には、たとえばクライアント機器がいくつかのネットワークの中の任意の１つ以上へ接続できるハイブリッド・ネットワーク動作のような、異種無線システム内での動作に関する。より具体的には、ある典型的な態様においては、本発明はハイブリッド動作のためのネットワーク管理の修正方法および装置に関する。
【背景技術】
【０００４】
セルラーネットワークのオペレータは、たとえばセルラー基地局、基地局コントローラ、インフラストラクチャ・ノードなどのネットワーク・インフラストラクチャを通じて、公衆へ移動体通信サービスを提供する。セルラーネットワーク技術には様々な種類があり、歴史的にセルラー機器は単一のセルラーネットワーク内の動作に特化していた。しかしながら、セルラー技術が次第に商用化されるにつれ、機器は今やいわゆる「マルチモード」動作、つまり単一機器が２つ以上のセルラーネットワークにおいて動作する動作モードを提供できるようになった。マルチモード動作によって、機器はいくつかのネットワーク技術のうちの任意の１つでの動作が可能になるが、複数ネットワーク技術で同時に動作することはできない。
【０００５】
初期の研究はいわゆる「ハイブリッド」ネットワーク動作を対象にしている。ハイブリッド・ネットワーク動作では、クライアント機器は、技術の異なる複数の異なるネットワーク中で同時に動作する。ある典型的な例では、ハイブリッド機器は（ｉ）Ｌｏｎｇ  Ｔｅｒｍ  Ｅｖｏｌｕｔｉｏｎ（ＬＴＥ）および（ｉｉ）Ｃｏｄｅ  Ｄｉｖｉｓｉｏｎ  Ｍｕｌｔｉｐｌｅ  Ａｃｃｅｓｓ  １Ｘ（ＣＤＭＡ  １Ｘ）ネットワークの両方をサポートできる。即ち、機器は第１のＬＴＥネットワークと第２のＣＤＭＡ  ｌＸネットワーク間の同時接続を実施できる。たとえば、ＬＴＥ／ＣＤＭＡ  ｌＸハイブリッド機器は、携帯機器はＬＴＥモードである一方で、ＣＤＭＡ  ｌＸネットワークで音声通話を実施できる。別の例では、ハイブリッド機器は（ｉ）ＣＤＭＡ  ｌＸ−ＥＶＤＯ（Ｅｖｏｌｕｔｉｏｎ  Ｄａｔａ  Ｏｐｔｉｍｉｚｅｄ）および（ｉｉ）ＣＤＭＡ  ｌＸネットワークの両方をサポートできる。
【０００６】
ハイブリッド・ネットワーク動作のための既存の解決法は、クライアント機器がネットワーク間で自身の動作を管理することに頼っている。特に、クライアント機器は様々なサービス・ネットワークへのアクティブな接続を維持する責任があり、既存のネットワーク設備に要求される変更はない（すなわち、ハイブリッド・ネットワーク動作はネットワーク・インフラストラクチャのレガシーなハードウェアおよびソフトウェアには影響しない）。クライアント中心のハイブリッド動作はいくつかの利点を有する。たとえば、ネットワークオペレータには（もしあったとしても）ほんの少しのインフラコストしかかからない。さらに、ハードウェア・コストは消費者機器の値段に組み込むことができる。加えて、ハイブリッド・ネットワーク動作は既存のレガシーな機器に影響を与えないであろう。同様に、ハイブリッド動作が可能な機器は通常の動作もまた可能である。
【０００７】
しかしながら、ハイブリッド・ネットワーク動作のための既存の解決法は、構成ネットワークの相互連携を必要とせず、ハイブリッド・ネットワークの各ネットワークは最適なリソース管理判断を行うための十分な情報を持たない。特に、通常の「非ハイブリッド」動作の間、クライアント機器は、たとえば通信中のセルの無線リンクの品質の監視、近隣セル測定、基地局間の周波数内／周波数間でのハンドオーバの、定期的な低消費電力状態（間欠受信（ＤＲＸ））への移行、などを実行してよい。これ以降でより明白になる理由により、クライアント機器のハイブリッド動作は、既存の指標、報告、および動作に影響し、不適切なネットワーク管理応答を生ずることになる。
【０００８】
その結果、ハイブリッド動作のためのネットワーク管理を修正する改善された方法および装置が必要となる。
【発明の概要】
【０００９】
本発明は、とりわけハイブリッド動作向けネットワーク管理の修正のための改善された装置および方法の提供によって、前述の要求をみたす。
【００１０】
本発明の１つの態様では、ハイブリッド動作の間の無線測定を修正するように構成された装置が記載される。１つの実施形態では、当該装置は、１以上の無線インタフェースと、１以上のプロセッサ要素と、（たとえばスイッチ・ファブリックのような）スイッチング要素であって、１以上の無線インタフェースを１以上のプロセッサ要素に接続するように構成されたスイッチング要素と、少なくとも１つのコンピュータプログラムを含むコンピュータで読取り可能な媒体とを含む。ある変形例では、少なくとも１つのコンピュータプログラムは、１以上のプロセッサ要素のうちの少なくとも１つによって実行された際、１以上のプロセッサ要素のうちの第１のプロセッサを、１以上の無線インタフェースのうちの第１のインタフェースに接続し、少なくとも第１のプロセッサを１以上の無線インタフェースのうちの第２のインタフェースに切り替えるように構成される。少なくとも１つのコンピュータプログラムはさらに、第２のインタフェースに切り替えられている間、第１のインタフェースに関連する１以上のコンテキスト情報をトラッキングし、少なくとも第１のプロセッサを１以上の無線インタフェースのうちの第１のインタフェースに戻すように切り替え、トラッキングされた１以上のコンテキスト情報で少なくとも１つの無線測定を増強させるように構成されてもよい。
【００１１】
別の変形例では、第１のインタフェースはデータ専用ネットワークを含む。
【００１２】
さらに別の変形例では、１以上のコンテキスト情報は切り替えられた動作の継続時間を含む。そのような実施の１つでは、少なくとも１つの無線測定が継続時間に基づいて調整される。
【００１３】
ある変形例では、第１のインタフェースはＬＴＥ（Ｌｏｎｇ  Ｔｅｒｍ  Ｅｖｏｌｕｔｉｏｎ）に準拠した無線送受信器を含む。
【００１４】
発明の第２の態様では、間欠的な動作に基づき１以上の測定を修正するための方法が記載される。ある実施形態において、当該方法は、ある継続時間において第１のネットワークから離脱する工程と、当該継続時間において第１のネットワークと関連する１以上のコンテキスト情報のトラッキングする工程と、第１のネットワークの動作を再開する工程と、１以上のコンテキスト情報に従って、少なくとも１つの測定の調整する工程と、調整された少なくとも１つの測定を第１のネットワークへ通知する工程とを含む。
【００１５】
ある変形例では、方法はさらに、継続時間の間に第２のネットワークへ同調する工程を含む。
【００１６】
他の変形例では、第１のネットワークはデータ専用ネットワークである。
【００１７】
さらに、いくつかの典型的な従属的な変形例では、離脱ユーザが開始した音声通話に基づく。また、離脱は第２のネットワークのページングのスケジュールに基づく。
【００１８】
第３の態様では、少なくとも第１のネットワークと第２のネットワークとにおけるハイブリッド動作のためにネットワーク管理を修正する方法が記載される。１つの実施形態では、当該方法は、第１のネットワークに関連する１以上の第１の動作の停止する工程と、停止の間に１以上のコンテキスト情報を保持する工程と、保持された１以上のコンテキスト情報に少なくとも部分的に基づいて、１以上のネットワーク管理パラメータの修正する工程とを含む。
【００１９】
ある変形例では、第１のネットワークの停止の間に、第２のネットワークに関連する１以上の第２の動作を実行可能とする。いくつかの従属的な変形例では、タイマーの満了に応じて第１のネットワークに関連する１以上の第１の動作を再開し、第２のネットワークに関連する１以上の第２の動作を無効とする。
【００２０】
別の変形例では、停止の間にトラッキングされた少なくとも１以上の更新されたコンテキスト情報により、第１のネットワークの１以上のコンテキスト情報を増強する。
【００２１】
第３の変形例では、１以上のコンテキスト情報は、セル選択データ、システム情報ブロック（ＳＩＢ）情報、無線リンク監視情報の履歴、間欠受信（ＤＲＸ）の試行数等を含む。
【００２２】
いくつかの変形例では、第１のネットワークはデータ専用ネットワークである。たとえば、第１のネットワークはＬＴＥ（Ｌｏｎｇ  Ｔｅｒｍ  Ｅｖｏｌｕｔｉｏｎ）ネットワークであってよい。
【００２３】
別の側面では、ハイブリッド動作のためのネットワーク管理の修正方法が記載される。ある実施形態では、当該方法は、第１のネットワークに関する１つ以上の動作を停止する工程と、第２のネットワークへの切り替えを行う工程と、第２のネットワークへ切り替えている間に第１のネットワークに関連する１以上のコンテキスト情報をトラッキングする工程と、第１のネットワークへの復帰する工程とを含む。
【００２４】
ある変形例では、当該停止は切り替えイベントに応じたものであって、方法はさらに、トラッキングされた１以上のコンテキスト情報で第１のネットワークの１以上の測定パラメータを増強する工程を含む。
【００２５】
さらに別の発明の側面では、ハイブリッド動作のためのネットワーク管理を修正する装置が記載される。第１の実施形態では、ネットワークは実質的には非同期であり、装置は第２のネットワークに切り替えられる間、第１のネットワークに関する１以上のコンテキスト・データを保存するように構成される。
【００２６】
更なる発明の側面では、コンピュータで読取り可能な記憶装置が開示される。１つの実施形態では、当該装置は、少なくとも１つのコンピュータプログラムを記憶した記憶媒体を含み、当該コンピュータプログラムは実行された場合に、（ｉ）切り替えイベントに応じ、第１のネットワークの１以上の動作を停止し、（ｉｉ）第２のネットワークに切り替え、（ｉｉｉ）第２のネットワークに切り替えている間に第１のネットワークに関連する１以上のコンテキスト情報をトラッキングし、および／または、（ｉｖ）トラッキングされた１以上のコンテキスト情報で第１のネットワークの様々な測定パラメータを増強させる、ように構成される。
【００２７】
発明の別の態様では、ネットワークが開示される。１つの実施形態では、ネットワークはクライアント装置から報告された１つ以上のパラメータに基づき、ハイブリッド動作のためのネットワーク管理を修正する。
【００２８】
発明のさらに別の態様では、ハイブリッド・ネットワーク動作が可能なクライアント装置が記載される。
【００２９】
本発明の他の特徴および利点は、以下に与えられる添付の図面および典型的な実施形態の詳細な説明を参照することで、当業者によって即座に理解されるであろう。
【図面の簡単な説明】
【００３０】
【図１】本発明との関連で有用なある典型的なハイブリッド・ネットワーク・システムを示す論理ブロック図。
【図２】本発明に対応する、ハイブリッド動作のためのネットワーク管理を修正するための、１つの実施形態の一般化された方法を詳述する論理フロー図。
【図２ａ】図２の方法の、１つの特定の実施を詳述する論理フロー図。
【図３】本発明に従って設定されたユーザ装置（ＵＥ）の典型的な実施形態の機能ブロック図。
【発明を実施するための形態】
【００３１】
以下図面を参照して説明するが、図面において同一の数字は同一部分を全体を通じて指し示すものである。
【００３２】
［概要］
１つの態様では、本発明はハイブリッド動作のためのネットワーク管理の修正のための方法および装置を提供する。特に、典型的な実施形態では、携帯機器は、その後の報告におけるＬＴＥネットワークから離脱した時間の長さを考慮する。さらに、携帯機器はさらに、第１のネットワークから第２のネットワークへ移行する前の既存のコンテキスト情報をメモリに保存する。機器が第１のネットワークに復帰した場合に、機器は動作を再開できる。
【００３３】
機器が他のネットワークに「ハンドオーバ」で移行する既存の解決法では、一度移行すると、機器は先のネットワークとは接続しない。これに対して、本発明では、ネットワーク命令を選択的に無視することで、複数のアクティブなデバイス・アカウントを維持することを可能とする方法および装置を提供する。しかしながら、ここで記載するイベント報告に関する修正では、ネットワークは非対応機器のための修正動作を実行しなくてよい。
【００３４】
［詳細な説明］
以下、本発明の典型的な実施形態および態様を詳細に説明する。これらの実施形態および態様はＬｏｎｇ  Ｔｅｒｍ  Ｅｖｏｌｕｔｉｏｎ（ＬＴＥ）、Ｃｏｄｅ  Ｄｉｖｉｓｉｏｎ  Ｍｕｌｔｉｐｌｅ  Ａｃｃｅｓｓ  １Ｘ（ＣＤＭＡ  １Ｘ）セルラーネットワーク、およびＣＤＭＡ  １Ｘ  ＥＶＤＯ（Ｅｖｏｌｕｔｉｏｎ  Ｄａｔａ  Ｏｐｔｉｍｉｚｅｄ）の文脈において最初に議論される一方、本発明はそれに限定されず、ＴＤ−ＬＴＥ（時分割同期符号分割多重アクセス）およびＧｌｏｂａｌ  Ｓｙｓｔｅｍ  ｆｏｒ  Ｍｏｂｉｌｅ  Ｃｏｍｍｕｎｉｃｃａｔｉｏｎｓ（ＧＳＭ）のような他のセルラー技術にも用いることができることは、当業者に認識されるであろう。実際、発明の様々な態様は、ハイブリッド動作のためのネットワーク管理のための修正で有用である（セルラー、無線、有線または他の）任意のネットワークの組み合わせに有効である。
【００３５】
［典型的なＬＴＥ／ＣＤＭＡ  １Ｘ  ハイブリッド・ネットワーク動作］
図１は典型的なハイブリッド・ネットワーク・システム１００を図示する。典型的なハイブリッド・ネットワークは、ユーザ装置（ＵＥ）クライアント装置１０４と通信する第１のＬＴＥ  ＲＡＮ（無線アクセスネットワーク）１０２Ａおよび第２のＣＤＭＡ  １Ｘ  ＲＡＮ  １０２Ｂから成る。図１に示すように、ＬＴＥ  ＲＡＮおよびＣＤＭＡ  １Ｘ  ＲＡＮは同期されていなくてもよく、他のＲＡＮの動作を全く意識しない。他のシナリオにおいて、ＲＡＮはより高いレベルで協調してよく、たとえば、ＲＡＮはそれらの動作の特定の態様において大まかに同期、または正確に同期してよい。
【００３６】
ＬＴＥ／ＣＤＭＡ  １Ｘ  ハイブリッド・モード動作の間、ＵＥ１０４はＬＴＥネットワークに登録される一方でＣＤＭA  １Ｘ  音声通話をかけることができる。ＵＥは、ＬＴＥネットワーク又はＣＤＭＡ  １Ｘネットワークからのデータおよび制御メッセージを受信し、応答することができるが、残念ながら、本シナリオでのＵＥは両方のネットワークに対し同時に応答することはできない。そのような実施形態の１つでは、ＵＥは、ユーザによる音声通話が影響を受けないようにするためにＬＴＥ（データ）トラフィックよりＣＤＭＡ  １Ｘ（音声通話）トラフィックを常に優先する。他の実施形態は他の優先順位付け方式を有してよい（たとえば、トラフィックの型、機器利用の履歴などに基づき、音声通話は低優先度とする）。
【００３７】
本文脈においては、多くの動作はＵＥの切り替えに大きく影響されてもよい。以降の議論では、ハイブリッド・モード動作での典型的なＬＴＥ／ＣＤＭＡ  １Ｘネットワークのいくつかの代表的な問題を簡単に説明する。
【００３８】
［セル選択／再選択］
ＵＥがセルラーネットワークへ接続を試みる場合、ＵＥはサービスのための最適なセルラーネットワーク・セルを探索しなくてはならない、これは一般的に「セル選択」と呼ばれる。セルラーサービスでは、ＵＥは利用可能なセルラーネットワークを更に監視し続け、よりよい受信状態が発生すれば、ＵＥはセルを移行できる。これは一般的に「セル再選択」と呼ばれる。
【００３９】
セル選択／再選択の間、ＵＥは周波数スキャンを実行し、セルに同期し（たとえばプライマリ同期シーケンス（ＰＳＳ）、セカンダリ同期シーケンス（ＳＳＳ）など、を実行する）、様々な制御情報を復号する（たとえば物理ブロードキャストチャネル（ＰＢＣＨ）を復号し、１つ以上のシステム情報ブロック（ＳＩＢ）を復号する）。
【００４０】
残念ながら、ハイブリッド・ネットワーク動作では、ＵＥがより高い優先度（たとえばＣＤＭＡ  １Ｘ）のネットワークへ同調する間は、セル選択手順は中断されうる。これは制御データを破損したり不完全なものとしえる。セル選択／再選択のための破損データは、一時的にＵＥのソフトウェアにＬＴＥネットワークの使用を禁じる結果をもたらしうる。
【００４１】
同様に、セル再選択において、ＵＥは定期的にその近隣のセルを再評価する必要がある。しかしながら、評価手順を実行している間に、ＵＥは、不適切な結果をもたらす、ＣＤＭＡ  １Ｘネットワークへの同調を行ってもよい。一部の例では、ＵＥは他の使用のための信頼できるネットワークを認識しなくてよい。
【００４２】
［システム情報ブロック（ＳＩＢ）の収集］
前述したように、とりわけセル選択の間、ＵＥは適切なネットワークパラメータを判断するために、システム情報ブロック（ＳＩＢ）を復号する必要がある。ＬＴＥネットワークにおいては、多数の異なるＳＩＢの型があり、しかし主としては、全てのＵＥは最低でもＳＩＢ１およびＳＩＢ２を復号しなくてはならない。ＳＩＢ１およびＳＩＢ２は、Ｐｕｂｌｉｃ  Ｌａｎｄ  Ｍｏｂｉｌｅ  Ｎｅｔｗｏｒｋ（ＰＬＭＮ）識別子、Ｔｉｍｉｎｇ  Ａｄｖａｎｃｅ（ＴＡ）情報、物理セル識別子、スケジューリング情報、およびチャネル情報のような、しかしそれらに限定されない情報を伝える。ＳＩＢ情報の重要性に起因して、ＵＥは不適切なネットワークの使用を禁じるであろう。
【００４３】
残念ながら、ハイブリッド・ネットワーク動作において、ＵＥはＳＩＢ収集の最中に割り込みを受けるかもしれない。これにより不要な収集済みのＳＩＢ情報は破損または破棄されることとなる。しかもなお悪いことに、これは、ＵＥのＬＴＥネットワーク使用の禁止ももたらす。
【００４４】
［ランダムアクセス手順］
ランダムアクセス手順は、初めにＲＲＣ接続を要求するなど、ＵＥが基地局と通信を開始する必要があるときにいつでも実行される。ここで用いられるように、ＵＥがＲａｄｉｏ  Ｒｅｓｏｕｒｃｅ  Ｃｏｎｎｅｃｔｉｏｎ（ＲＲＣ）の確立に成功した場合、ＵＥは「接続」される。
【００４５】
ランダムアクセス手順は、基地局との通信用のリソースがスケジューリングされていないＵＥによって用いられる。それゆえ、ランダムアクセス試行は（他の機器からの）他のランダムアクセス試行と衝突するかもしれないという、いくらかの可能性がある。その結果、ランダムアクセス試行は基地局がアクノリッジし、ＵＥが応答する必要がある。この複雑なインタラクションはＵＥに時宜に即したネットワーク移行を守ることを必要し、それに失敗すると、ＵＥは手順を再開する結果となる。理想的には、ＵＥは中間プロセスが中断されることを避けるべきである。
【００４６】
さらに、接続された動作の間、ＵＥは（ｉ）サービング・セルの無線リンクの品質の監視、（ｉｉ）近隣セル測定および報告の実行、（ｉｉｉ）ＬＴＥ  ＮｏｄｅＢ間の周波数内／周波数間ハンドオーバの実行、（ｉｖ）ｅＨＰＲＤ（ｅｖｏｌｖｅｄ  ｈｉｇｈ  ｒａｔｅ  ｐａｃｋｅｔ  ｄａｔａ）とＬＴＥ（Ｌｏｎｇ  Ｔｅｒｍ  Ｅｖｏｌｕｔｉｏｎ）との間のＲＡＴ（無線アクセス技術）間の出力先変更、および消費電力削減のための間欠受信（ＤＲＸ）の実行を含むがそれに限定されない幅広い種類のタスクを実行する。接続モード動作の様々な態様はここでより詳細に説明される。
【００４７】
［無線リンク監視］
接続動作の間、サービング・セルのダウンリンク無線リンク品質はＵＥによって監視される。ＵＥプロトコル・ソフトウェアは、ダウンリンク無線リンク品質が最小閾値を超えるか（同期:in-sync）、または最小閾値を超えないか（非同期:out-of-sync）を判断する。連続した非同期の無線リンク結果は、既存のＲＲＣ接続が失敗し、再確立される必要があることを示す。典型的な動作の間（間欠受信（ＤＲＸ）動作ではないとき）、ＵＥは全ての無線フレームで無線リンク品質を評価する。ＤＲＸ動作においては、ＵＥは無線フレームのサブセットのみを評価する。
【００４８】
残念ながら、ハイブリッド・ネットワーク動作の間、ＲＦフロントエンドは、ＬＴＥネットワークに接続される一方で、間欠的にＣＤＭＡ  １Ｘへ切り替えられるであろう。切り替えの間、無線リンク品質が事実上落ちるため、既存のＵＥは無線リンク障害対策を誤って発動させることになるであろう。ＵＥ  ＬＴＥベースバンドはその現在の（まだ有効な）ＲＲＣ接続を解放し、ＬＴＥネットワークとの新たなＲＲＣ接続を再確立しようと試みるであろう。
【００４９】
［接続モードの間欠受信（ＤＲＸ）］
ＤＲＸは一般に消費電力を削減するためにＵＥにて実施される方法である。ＤＲＸ動作において、ＵＥおよびネットワークは、データ転送を開始しうる所定の時間間隔について合意する。ＵＥは、これらの所定の時間間隔においてのみ電源が入ればよい。それゆえ、機器がアクティブな転送用データを有していない場合、及び、時間間隔同士の間において、機器はその受信機をオフにし、低電力状態の「スリープ」にできる。
【００５０】
ＬＴＥネットワークにおいて、ＤＲＸ動作はさらに短いおよび長い周期に分かれる。ＵＥの「アクティブ時間」と言われる期間内にアクティビティが受信されなければ、ＵＥはいわゆる「短周期」ＤＲＸ（ＵＥはサブフレーム２，５，８，１０，１６，２０，３２，４０，６４，８０，１２８，１６０，２５６，３２０，５１２，６４０のデータを確認する）というＤＲＸ動作を開始し、その後、機器は長周期ＤＲＸ（ＵＥはサブフレーム１０，２０，３２，４０，６４，８０，１２８，１６０，２５６，３２０，５１２，６４０，１０２４，１２８０，２０４８，２５６０のデータを確認する）へと変化する。長周期ＤＲＸは実質的には消費電力の面でよりよいが、応答性も短周期ＤＲＸよりずっと低くなる。
【００５１】
ハイブリッド・ネットワーク動作の文脈において、ＤＲＸ動作にとっての移行は特に問題となりうる。ハイブリッド動作の間、ＵＥは短周期ＤＲＸモード中に、ネットワークから離脱することが求められてよい。ＵＥが短周期ＤＲＸモードの間に離脱している場合にネットワークがＵＥにコンタクトを試みる場合、ＵＥは当該コンタクトを見逃し、誤って長周期ＤＲＸへ移行してしまうかもしれない。この場合、更なるデータロスにつながることになる。さらに別の場合、ＵＥがＬＴＥネットワークから離脱している間に、ネットワークはＤＲＸコマンドを送信してもよい。その結果、ＵＥがＬＴＥネットワークに復帰した場合、ＵＥはその受信機に不要に電力を供給するかもしれない（ネットワークはＵＥをＤＲＸモードで動作しているように扱う）。
【００５２】
［セル測定］
定期的に、接続モード動作の間、ＬＴＥネットワークは（たとえばＬＴＥネットワークによって提供される）特定の設定に基づいた情報をＵＥが測定および報告することを要求してもよい。そのような測定は、（ｉ）周波数内セル測定、（ｉｉ）周波数間セル測定、（ｉｉｉ）ＣＤＭＡ  １Ｘ  ＥＶＤＯおよび／またはＣＤＭＡ  １Ｘ周波数のＲＡＴ間測定など、を含むがそれらに限定されない。しかしながら、ハイブリッド・ネットワーク動作の間、ＵＥはネットワークの設定インジケータを見逃し、またある場合には、誤って測定報知イベントを動作させるかもしれない。
【００５３】
ある場合には、セル測定および報告は、セル・ハンドオーバ（すなわち、ＵＥのネットワークの他のセルへの移動）を命令および／または開始するためにネットワーク（およびＵＥ）によって用いられる。不正確なセル測定情報はハンドオーバ失敗（たとえば、通話途切れ、受信障害、非効率なハンドオーバなど）を引き起こしうる。たとえば、ＬＴＥネットワークは、少なくとも一部は測定報告を基にしてＵＥにハンドオーバを命令しうる。不完全な測定報告は、ＬＴＥネットワークがＵＥに異なる周波数内セルまたは周波数間セルへのハンドオーバを命令し、もしくはある場合には、ＵＥにｅＨＲＰＤ（ｅｖｏｌｖｅｄ  ｈｉｇｈ  ｒａｔｅ  ｐａｃｋｅｔ  ｄａｔａ）セルへの出力先変更を促してよい。さらに、ＵＥがＣＤＭＡ  １Ｘネットワークへ同調している間にこれが発生した場合、ハンドオーバ／出力先変更手順は失敗することになる、そしてネットワークはＲＲＣ接続を中断することになる。ＵＥがＬＴＥネットワークへ復調した際、ＵＥは古いＲＲＣ接続を有することになり、ＲＲＣ接続の再確立が必要となるが、そのためには時間および他のリソース（たとえば電力および処理）を消費することになる。
【００５４】
［アップリンク／ダウンリンク・リソース割り当て］
ＬＴＥネットワークは、アップリンクおよびダウンリンク無線チャネルの測定された品質を基にリソースを割り当てる。通常動作の間、比較的良い品質を有するＵＥにはより多くのリソースが割り当てられる。残念ながら、ＵＥが高品質のアップリンクおよび／またはダウンリンクを報告し、その後にネットワークを切り替えた場合、当該機器に割り当てられたリソースは無駄になる。
【００５５】
たとえば、ＬＴＥネットワークにおいて、ＵＥは物理アップリンク共有チャネル（ＰＵＳＣＨ）を通じて、ＣＱＩ（チャネル品質インジケータ）、ＰＭＩ（Ｐｒｅｃｏｄｉｎｇ  Ｍａｔｒｉｘ  Ｉｎｄｅｘ）およびＲＩ（Ｒａｎｋ  Ｉｎｄｉｃａｔｏｒ）を報告する。これらの報告は、その後に続くデータ送信のペイロードを判断するために、ＬＴＥネットワークによって用いられる（たとえば、ＬＴＥネットワークは次のサブフレームのダウンリンク・リソース割り当てを判断するために、以前受信したＣＱＩ／ＰＭＩ／ＲＩの報告を用いてよい）。残念ながら、応答のためにＣＤＭＡ  １Ｘネットワークに切り替えられたハイブリッド・モードのＵＥは、割り当てられたリソースをいずれも使用できない。
【００５６】
同様に、ＬＴＥネットワークは無線チャネル以外の要素もまた考慮する。たとえば、各ＵＥは定期的に、そのアップリンク・バッファ状態およびパワーヘッドルームをメディアアクセス制御（ＭＡＣ）要素としてネットワークへ報告する。ＬＴＥネットワークはこれらの入力をアップリンク・リソース使用権の割り当てのために用いる。ＵＥが好ましい状態（たとえば、バッファの有効性およびヘッドルームの超過）を報告した場合、ネットワークはＵＥに大きなアップリンク使用権を割り当ててよいが、ＵＥがネットワークを切り替えた場合にこれらの大きなアップリンク使用権は無駄になる。
【００５７】
［アップリンク送信電力］
通常のネットワーク動作の間、ＬＴＥネットワークはＵＥの送信電力を送信電力制御（ＴＰＣ）命令によって調整する。ＴＰＣは全てのサブフレーム内のｄｏｗｎｌｉｎｋ  ｐｈｙｓｉｃａｌ  ｄｅｄｉｃａｔｅｄ  ｃｏｎｔｒｏｌ  ｃｈａｎｎｅｌ（ＤＬ  ＰＤＣＣＨ）で送信される。典型的に、ＬＴＥネットワークのインフラストラクチャは、アップリンク送信が干渉を原因として復号できないことを想定している。それゆえ、ＴＰＣのための既存の解決法は、ネットワークがアップリンク送信を復号できない場合に、送信電力を自動で増加させるように設定するものである。
【００５８】
ハイブリッド・ネットワーク動作では、ＵＥは検査のために別のネットワークに同調する。その間ネットワークは、ＵＥに送信電力を増加させて低いシグナリングレベルを調整させるために誤ってＴＰＣコマンドを送信することになる（ＵＥは離脱しているため、これらの命令は受信されない）。しかしながら、ＵＥがネットワークへ復調するとすぐ、ＵＥはアップリンク送信電力を大きく増加させるＴＰＣ命令を受信することになる。
【００５９】
［時間的整合］
無線送信は高速で伝搬し、それゆえ、ＵＥが基地局により近くまたはより遠くに移動すれば、信号は伝搬遅延を補償するように進むか遅延するかしなければならない。ＬＴＥでは、この伝搬補償は「タイミング・アドバンス」と呼ばれる。タイミング・アドバンス（ＴＡ）は、ネットワークから受信するタイミング・アドバンス・コマンド・メディアアクセス制御（ＭＡＣ）制御要素によって割り当てられる。
【００６０】
ＵＥはまた、ＵＥが時間的に整合を取れていると想定することになる期間を判断する、設定可能な時間的整合タイマー（ｔｉｍｅＡｌｉｇｎｍｅｎｔＴｉｍｅｒ）を有する。時間的整合タイマーが満了する際（たとえば、サブフレーム５００，７５０，１２８０，１９２０，２５６０，５１２０，１０２４０，無限）、ＵＥはその既存のアップリンクおよびダウンリンクのデータを消去し、そのＴＡ値を更新する。たとえば、ＵＥはそのハイブリッド自動再送要求（ＨＡＲＱ）バッファをフラッシュし、その物理アップリンク制御チャネルおよびサウンディング参照信号（ＰＵＣＣＨ／ＳＲＳ）を解放し、そして任意の設定されたダウンリンク割り当ておよびアップリンク使用権を消去する。時間的整合タイマーにより、たとえＵＥがネットワークのＴＡ命令を見逃しても、最終的にＵＥにＴＡの更新を確実に行わせることができる。
【００６１】
ハイブリッド・ネットワーク動作において、ＵＥは離脱している間、ネットワークからのＴＡ命令を見逃してもよい。さらに、ＵＥがＬＴＥネットワークから離脱している間、時間的整合タイマーは一時停止する。したがって、ＵＥの復調後でも、再開した時間的整合タイマーが満了する前に送信された後続のアップリンクデータは失われることになる。
【００６２】
さらに、（ＬＴＥシステム時間とＣＤＭＡ  １Ｘシステム時間との間で同期していない）非同期ハイブリッド・ネットワークにて、片方のネットワークから他方のネットワークへの切り替えは時刻同期に影響を与えてよく、たとえば、ＵＥはＣＤＭＡ  １Ｘネットワークへ同調する一方で、ＬＴＥネットワークの時刻基準から離れていってよい。ＵＥがＬＴＥネットワークに復調した場合、ＵＥはサービング・セルのタイミング（時刻および周波数）を失うのに十分なほど離れてしまっていてよい。これは連続した復号誤りおよび／または受信／送信品質の低下を生じうる。
【００６３】
上記に加え、ハイブリッド・ネットワーク動作のために修正される必要がある多数の他のインタラクションおよび様々な動作がある。さらに既存のネットワーク技術のための他のネットワークおよび将来の改良は、ハイブリッド・ネットワーク動作のための問題を付加的に生むことになる。
【００６４】
より一般的に、既存のセルラーネットワーク技術は、ＵＥが意図的に受信を中断しないであろうという推測を前提として設計された。したがって、セルラーネットワークは、メッセージの損失および／または状態の損失を、ＵＥが一時的にサービスを中断したように応答する。しかしながら、ハイブリッド・ネットワーク動作では、ＵＥは１つ以上の他のネットワークのチェックのために意図的にネットワークから離脱する。クライアントおよびネットワークの管理は、ユーザ体験または他の重要な性能属性が不利に影響しないよう、ハイブリッド・ネットワーク動作の間、意図した断続的な機能停止に対処するよう修正されなければならない。
【００６５】
［ＴＤ−ＬＴＥ／ＬＴＥ−ＳＣＤＭＡネットワーク動作］
技術的に理解されるように、ＬＴＥ時分割複信（Ｌｏｎｇ−Ｔｅｒｍ  Ｅｖｏｌｕｔｉｏｎ  Ｔｉｍｅ−Ｄｉｖｉｓｉｏｎ  Ｄｕｐｌｅｘ）としても知られている時分割ＬＴＥ（ＴＤ−ＬＴＥ）は周波数分割（ＦＤ）−ＬＴＥと類似している。周波数分割複信の場合、ダウンリンクおよびアップリンクは異なる周波数を利用して送信される。時分割複信では、ダウンリンクおよびアップリンクは同一周波数で、呼の各指示が特定のタイムスロットへ割り当てられるよう、分離は時間領域で生じる。ＴＤ−ＬＴＥとＦＤ−ＬＴＥの両方がＤＲＸを許可する。同様に、時分割同期符号分割多元接続（ＴＤ−ＳＣＤＭＡ）は、同一フレームの異なるタイムスロットを用いてトラフィックのアップリンク（携帯端末から基地局へ）およびダウンリンク（基地局から携帯端末へ）を許可する。本発明の実施形態は、図２を参照して説明する手法の実施のような、ハイブリッド・ネットワークにおけるこれらの技術を同時および／又は個別に（他の技術との組み合わせ）使用する場合について検討する。
【００６６】
ＴＤ−ＬＴＥとＴＤ−ＳＣＤＭＡの両方に関する典型的な実施形態にて、ＴＤ−ＬＴＥネットワークに接続されたＵＥは、セル選択、登録、およびページングの受信のようなＴＤ−ＳＣＤＭＡ動作を実行するために、定期的に（またはイベント駆動でまたは他に基づき）ＴＤ−ＬＴＥネットワークからその無線を離脱させることになる。
【００６７】
［ＴＤ−ＬＴＥ／ＧＳＭネットワーク動作］
技術的に理解されるように、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）はセルラー技術の標準であり、Ｇｅｎｅｒａｌ  Ｐａｃｋｅｔ  Ｒａｄｉｏ  Ｓｅｒｖｉｃｅ（ＧＰＲＳ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、および３Ｇ（第三世代）ＵＭＴＳとしても知られているＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）を含む数多くの進歩を展開してきた。
【００６８】
ＴＤ−ＬＴＥとＧＳＭの両方に関する典型的な実施形態では、ＴＤ−ＬＴＥネットワークに接続されたＵＥは、セル選択、登録、およびページングの受信のようなＧＳＭ動作を実行するために、定期的に（またはイベント駆動でまたは他に基づき）ＴＤ−ＬＴＥネットワークからその無線を離脱させることになる。
【００６９】
［方法］
図２を参照して、ハイブリッド動作のためのネットワーク管理の修正のための一実施形態の一般化された方法２００を説明する。１つのシナリオにおいて、クライアント機器は第１のネットワークに接続され、そして第１のネットワークはクライアント機器の１つ以上の他のネットワークへの接続を全く意識しない。また、第１のネットワークは隣接ネットワークの限定的な情報を有してよい。当該情報は、例えばタイミング情報、登録された機器等であって、定期的に更新されてもよいが、第１のネットワークの動作判断には利用されない。更なる他のネットワークのシナリオは、第１のネットワークと１つ以上の他のネットワークとの統合を緊密なものとするが、さらに知的なネットワーク管理を必要とする。たとえば、第１のＬＴＥネットワークが第２のＣＤＭＡ  １Ｘネットワークと密接に結合している状況でも、ＬＴＥネットワークは、機器がＣＤＭＡ  １Ｘネットワークにアクセスする、およびその逆のイベントを知的に処理してよい。
【００７０】
当然のことながら、ここで説明される手法が主として第１のネットワーク（たとえばＬＴＥ）から第２のネットワーク（たとえばＣＤＭＡ  １Ｘ）への切り替え、その後第１のネットワークに復帰するという状況で議論される一方で、役割は容易に逆にされてよい。たとえば、ＣＤＭＡ  １ＸネットワークからＬＴＥネットワークへの切り替え、再び復帰が生じうる。さらに、本発明は「ホップ」もしくは切り替え順序の変更を考慮し、底にはたとえば（ｉ）第１のネットワークから第２のネットワークへ、その後第２のネットワークから第３のネットワークへ、そしてその後第１のネットワークへ戻る、（ｉｉ）第１のネットワークから第２のネットワークへ切り替え、その後第１へ戻り、その後第１から第３へ切り替え、そして第１へ戻る、などが含まれる。
【００７１】
また当然のことながら、ここで説明される類似の手法がＴＤ−ＬＴＥ（時分割ＬＴＥ）、ＴＤ−ＬＴＥ−Ａｄｖａｎｃｅｄ、およびＴＤ−ＳＣＤＭＡ（時分割同期符号分割多元接続）、ＧＳＭでも利用されうる。
【００７２】
方法２００のステップ２０２において、切り替えイベントに応じて、クライアント機器は第１のネットワークに関する動作の一時停止を開始する。一実施形態においては、切り替えイベントは予測可能なイベントである。たとえば、同時出願された米国特許出願１３／４７５，８０２（２０１２年５月１８日出願、名称「ハイブリッド・ネットワーク動作に支援されるネットワークのための装置および方法」）で説明されるように，ある実施形態において、クライアント機器は、呼び出しスケジュールを確認するためＬＴＥネットワークからＣＤＭＡ  １Ｘネットワークへ移行しなければならない定期的な時間間隔を把握している。そのような実施形態において、クライアント機器は、すべての実行中のソフトウェア・プロセスのために前もって予測的に一時停止イベントのスケジュールを決めることができる。
【００７３】
代替的な方法として、所定の切り替えイベントは予測不可能または予測が困難である。例えば、ユーザの利用法は予測不能であり、例えばいつユーザが音声通話を実施することになるか、データ送信を開始することになるか、などは分からない。様々な他の切り替えイベントは、例えば自動化されたイベント、引き起こされたイベント等を含んでよい。関連技術の当業者は、予測可能なイベントが適切なスケジューリングで効率的に処理できる一方、予測不能なイベントは、以下で説明されるようなイベントの取り消し／失敗などを含む突然の測定を必要としてもよいことを認識するであろう。
【００７４】
ある実施形態においては、クライアント機器はネットワークに一時停止イベントを通知してもよい。所定のネットワークは実行中のイベントまたはプロセスの取り消しを受け付ける。例えば、セル選択手順は停止され、中間結果を記憶領域としてのメモリに保存することができる。他の手順は中間結果から再開されなくてもよく、即座に中断されるべきである。さらに他の代替となる実施形態においては、クライアント機器はネットワークに受信障害イベントを通知してよい。そのようなプロセスは一時停止用に設定されなくてよく、ネットワークは損失の多い挙動を受け入れることができる。例えば、所定のチャネル測定は一時停止できなくてもよく、ネットワークは無報告を不使用チャネルとして解釈することになる。
【００７５】
ある変形例では、クライアント機器はネットワークに偽のまたはでたらめなサービス報告を生成する。たとえば、（リソースを割り当てるためにネットワークによって使用されてよい）実際の測定値の報告ではなく、機器は偽のまたは作為的に低い測定値を報告しうる。報告された測定値に基づきリソースを割り当てるネットワークにとって、偽のサービス報告は、離脱期間の間、（たとえあったとしても）ごくわずかなリソースが機器に割り当てられることになることを確かなものにする。
【００７６】
ステップ２０４において、クライアント機器は少なくとも１つの他のネットワークに切り替える。一実施形態においては、切り替え動作の間、クライアント機器は第１のネットワークから受信および／または送信できない。さらに、いくつかの変形例では、切り替え動作の間、第１のネットワークはクライアントがもはや応答しないことに気付かない。上述の実施形態で、前述の一時停止のステップは第１のネットワークからクライアント機器を切断しないことを特に留意すべきであり、代わりに、ソフトウェア・プロセスがただ停止される。第１のネットワークとクライアント機器との両方が動作を再開するためのコンテキスト情報を維持してよい。しかしながら、より広範な方法として、第１のネットワーク内の動作を「一時停止」するために、他の機構を前述の「ソフトウェアの停止」の代わりに、または組み合わせて使用してもよい。
【００７７】
さらにいくつかの実施形態においては、クライアント機器および／またはネットワークは、コンテキスト情報を追跡および／または更新し続ける。たとえばいくつかの実施形態においては、機器は第１のネットワークと関係するタイマーを増加させ続ける（その逆でもよい）。そのような時間の測定は、以下でより詳細に説明されるように、報告されたパラメータへの後続の調整判断の際に特に有用であろう。実施形態において、機器は切り替えられたネットワークで経過した時間の総量を判断するために用いられる切り替えタイマーを維持する。
【００７８】
ステップ２０６において、クライアント機器は第１のネットワークに復帰し、第１のネットワークに関する動作を再開する。再開の間、クライアント機器は、一時停止された内部ソフトウェア・プロセスの起動を含む、第１のネットワークへの論理接続を再開する。たとえば、ＬＴＥソフトウェア・スタックを再開する携帯機器は、アイドル・モードの間欠受信（ＤＲＸ）起動と似た「起動」手順を実行することになる。
【００７９】
図２ａを参照し、ハイブリッド動作のためのネットワーク管理の修正のための図２の方法２００のある特定の実装例を説明する。
【００８０】
方法２５０のステップ２５２において、第１のネットワーク（たとえばＬＴＥネットワーク）は少なくとも一つの他のネットワークに関する情報をブロードキャストする。少なくとも典型的な実施形態において、第１のネットワークは、クライアント機器内の第２のネットワークに関するハイブリッド動作を支援するための時間基準をブロードキャストする。クライアント機器は通常、データ転送の前に第２のネットワークのシステム時間を取得する必要があるため、移行前のクライアント機器への第２のネットワークのシステム時間の提供は移行の効率を大幅に改善する。
【００８１】
たとえば、ＬＴＥネットワークは、ＣＤＭＡ  １Ｘネットワークのためのシステム時間情報を格納するシステム情報ブロック（ＳＩＢ）をブロードキャストしてよい。ＬＴＥとＣＤＭＡ  １Ｘとの両方の時間基準はグローバル・ポジショニング・システム（ＧＰＳ）時間基準に由来するため、時間基準は異なってもよいが、徐々に互いから離れることにはならない。一実施形態においては、ＬＴＥネットワークは適切なＣＤＭＡ  １Ｘネットワーク時間を取得し、そしてＳＩＢ内で得られた時間をブロードキャストする。任意の携帯機器は、ＬＴＥネットワークにいる一方で、ＣＤＭＡ  １Ｘ  クイック・ページング・チャネル（ＱＰＣＨ）（および関連する呼び出しスロット）の適切に割り当てられた呼び出しインジケータを判断するためにＳＩＢを復号できる。
【００８２】
第２のネットワークへ移行する間クライアントを支援するために第１のネットワークによってブロードキャストされる他の種類の情報は、システム時間情報、サーチ・ウィンドウ・サイズ、セル再選択パラメータ、およびセル登録パラメータを含むがこれらに限定されない。さらに、ＲＡＴ（無線アクセス技術）間ハンドオーバのためにすでにブロードキャストされている既存の情報は同様にハイブリッド・ネットワーク動作のために容易に使用できる。たとえば、既存のＬＴＥの設備はＣＤＭＡ２０００  ＲＡＴ間動作に関連する情報（ＣＤＭＡ２０００の周波数およびセル再選択に関連するＣＤＭＡ２０００の近隣セルに関する情報）を格納するＳＩＢ８をブロードキャストする。
【００８３】
方法２５０のステップ２５４において、切り替えイベントに応じて、クライアント機器は前述したように、第１のネットワークに関する動作の一時停止を開始する。動作の一時停止中、本実施形態のクライアント機器は第１のネットワークへの論理接続を維持するが、第１のネットワークに関するネットワーク動作を命令する内部ソフトウェア・プロセスは停止する。例えば、ＬＴＥソフトウェア・スタックを実行する携帯機器はアイドル・モードの間欠受信（ＤＲＸ）に似た一時停止／停止手順を実行できる。アクティビティの一時停止の様々な例が、以下でより詳細に説明される（［動作例］参照）。
【００８４】
ある実施形態において、切り替えイベントは前述したように予測可能なイベントである。代替として、所定の切り替えイベントは予測不可能または予測が困難である。本実施形態において、クライアント機器はまた、ネットワークに一時停止イベントを知らせる。
【００８５】
ステップ２５６において、クライアント機器は少なくとも１つの他のネットワーク（たとえばＣＤＭＡ  １Ｘネットワーク）に切り替える。
【００８６】
ステップ２５８において、クライアント機器は第１の（ＬＴＥ）ネットワークに復帰し、第１のネットワークに関する動作を再開する。再開中、クライアント機器は、一時停止された内部ソフトウェア・プロセスの起動を含む、第１のネットワークへのその論理接続を再開させる。
【００８７】
ステップ２６０において、クライアント機器はステップ２５６のコンテキスト情報に関する様々な測定パラメータを増加させる。たとえば、いくつかの実施形態では、切り替え先のネットワークで経過した時間の総量で測定値の報告が調整される。代替となる実施形態では、測定値の報告は最後の真値に従って（たとえばスイッチイベントより前）訂正される。また他の実施形態では、測定値の報告は初期化される。
【００８８】
ステップ２６２において、クライアント機器は第１のネットワークへ、増加させた測定値を追加的にさらに報告する。
【００８９】
［動作例］
本発明の典型的な実施形態として、図１のＬＴＥ／ＣＤＭＡ  １Ｘネットワーク内での典型的なハイブリッド・ネットワーク動作を説明する。ハイブリッド動作中、ＵＥ１０４はＬＴＥネットワーク１０２ＡおよびＣＤＭＡ  １Ｘネットワーク１０２Ｂに登録される。ＵＥがＬＴＥネットワークからＣＤＭＡ  １Ｘネットワークへ離脱するたびに、ＵＥは既存の動作を一時停止する。ＵＥがＬＴＥネットワークへ復帰するとすぐ、一時停止された動作は再開される。実施特有の動作は、以下でより詳細に説明される。
【００９０】
［セル選択／再選択］
前述のように、ＵＥがより優先度の高いＣＤＭＡ  １Ｘネットワークに同調した場合、既存のセル選択／再選択手順はエラーとなり得る。セル選択／再選択のための誤ったデータは、ＵＥのソフトウェアがＬＴＥネットワークを使用することを禁じる結果になりうる。
【００９１】
したがって、発明の典型的な実施形態において、セル選択および再選択のデータは一時停止中に保存される。ＵＥは、（ｉ）スキャンされた周波数帯、（ｉｉ）スキャンされたプライマリ同期信号（ＰＳＳ）、（ｉｉｉ）スキャンされたセカンダリ同期信号（ＳＳＳ）、および（ｉｖ）得られたシステム情報ブロック（ＳＩＢ）を含んでよいがこれらに限定されない、既存のセル選択のデータを保存する。セル再選択データは、（ｉ）近隣セル測定、（ｉｉ）近隣セル順位、および（ｉｉｉ）セル再選択タイマー値、を含んでよいが、これらに限定されない。
【００９２】
ＵＥが他のネットワークから復帰すると、保存されたデータが読みだされ、ＵＥはセル選択／セル再選択手順を再開できる。また、別の実施形態では、セルの選択及び再選択データは停止の間にフラッシュされ、ＵＥが他のネットワークから復帰すると、セル選択／再選択手続をリスタートしなければならない。
【００９３】
［システム情報ブロック（ＳＩＢ）取得］
同様に、ＵＥはＬＴＥネットワークから離脱する際、ＳＩＢ取得の途中で割り込みがかけられてもよい。この場合、ＵＥはＬＴＥネットワークの使用が禁じられることになる。
【００９４】
したがって、ＳＩＢ取得中にＵＥに割り込みがかけられた場合、発明の実施形態では、ＵＥが離脱する前にＳＩＢ取得の現在の状態が保存される。そのような情報は、たとえば（ｉ）受信されたＳＩＢ、（ｉｉ）ＳＩＢ更新周期、および（ｉｉｉ）ＳＩＢバリュー・タグを含んでよい。
【００９５】
ＵＥが他のネットワークから復帰するとすぐ、ＵＥはＳＩＢ更新周期を過ぎたか、またバリュー・タグが変化したかをチェックし、判断する。もしそうであれば、ＳＩＢデータは有効期限が切れており、更新されなければならない（たとえばＵＥはＳＩＢ取得を再起動させなければならない）。そうでなければ、ＵＥは既存のＳＩＢデータで動作を継続できる。
【００９６】
［ランダムアクセス手順］
ランダムアクセス手順はＵＥが基地局と通信を開始する必要があればいつでも実行される。実際、ランダムアクセス手順は予定されない。ランダムアクセス手順の途中でＵＥに割り込みがかけられた場合、ＵＥは単純にランダムアクセスを停止できる。
【００９７】
代替として、ランダムアクセス手順は予定されない（そして適宜実行されることができる）ので、ランダムアクセスの試みに関するコンテキスト情報は延期することができ、ＵＥが復帰した後に再開することができる。
【００９８】
［無線リンク監視］
先行技術のＵＥはサービング・セルのダウンリンク無線リンク品質を監視する。無線リンク品質は他のチャネルに切り替えている期間中、事実上存在しないため、先行技術のＬＴＥベースバンドはこれらの報告を不正確に解釈することになり、無線リンク障害対策の「誤報」をもたらす。
【００９９】
しかしながら、本発明の典型的な実施形態において、ＬＴＥベースバンドは「チャネル切り替え」期間中、無線品質評価を無視する。代わりに、ＬＴＥベースバンドは離脱する前に無線リンク監視の最新の履歴を保存する。ＬＴＥベースバンドが復調するとすぐ、無線リンク監視は再開される。無線リンクはチャネル切り替え時間間隔中には評価されない。いくつかの場合においては、測定は（たとえば、時間平均値などに基づいて）訂正されてよい。
【０１００】
［接続モード間欠受信（ＤＲＸ）］
先行技術の解決法に戻って参照すると、ＵＥは短周期ＤＲＸモードにある間にネットワークからの離脱を求められてもよい。短周期ＤＲＸモードでＵＥが離脱した場合にネットワークがＵＥにコンタクトを試みても、ＵＥはコンタクトを見逃すことになり、誤って長周期ＤＲＸへ移行してしまうかもしれず、結果的に付加的なデータ損失につながる。
【０１０１】
それゆえ、本発明の典型的な実施形態において、ＵＥがＬＴＥネットワークから離脱する前に、ＵＥは短周期ＤＲＸ試行の最新の現時点での数を保存する。ＵＥがＬＴＥネットワークに復調した際、ＵＥは、長周期ＤＲＸへ移行するために必要なサイクル数をカウントするに当たり、見逃したサイクルを考慮しない。代わりに、ＵＥは保存された短周期ＤＲＸ試行数からカウントを再開する。特に、ＵＥが長周期ＤＲＸへ移行できるかどうかを判定する際には、ＵＥが実際にチェックした短周期ＤＲＸ試行数のみが利用されることになる。
【０１０２】
［セル測定］
前述したように、ＬＴＥネットワークはＵＥに特定の設定に基づいた情報（たとえばＬＴＥネットワークによって提供される情報）の測定および報告を要求してもよい。ハイブリッド・ネットワーク動作では、ＵＥにネットワーク設定指示を見逃させてもよく、また、誤って測定報告イベントを動作させてよいため、本発明の典型的な実施形態においては、ＵＥは一時停止された際、既存の設定およびセル測定をフラッシュすることになる。典型的なＵＥがＬＴＥネットワークに復調するとすぐ、ＵＥはハンドオーバが適切に動作することを確かにするため、改めて測定報告を生成する。
【０１０３】
［アップリンク／ダウンリンク・リソース割り当て］
前述したように、ＬＴＥネットワークはアップリンクおよびダウンリンク無線チャネルの測定された品質に基づきリソースを割り当てる。先行技術のＵＥは、ネットワークがＵＥに非常に大きなネットワーク・リソースを割り当てることになる、高品質なアップリンクおよび／またはダウンリンク無線チャネルを報告してもよい。但し、その後ＵＥが離脱した場合、これらの割り当てられたリソースは無駄になることになる。
【０１０４】
それゆえ、本発明の一実施形態において、ＣＤＭＡ  １Ｘネットワークへ同調する前に、ＵＥがＣＤＭＡ  １Ｘネットワークへ同調する間、ＬＴＥネットワークがＵＥへ大きなダウンリンク無線リソースを割り当てる可能性を最小にするため、ＵＥは偽の受信品質値（たとえば最小ＣＱＩ／ＰＭＩ／ＲＩ）をネットワークに報告する。同様に、ＵＥが離脱している間、ネットワークがＵＥに大きな送信リソースを供与しないよう、ＵＥはまた偽の送信容量（たとえばゼロ・アップリンク・バッファ状態およびパワールーム）を送信できる。
【０１０５】
［アップリンク送信電力］
ＴＰＣ向けの既存の解決法では、ネットワークがアップリンク送信を復号できない場合、送信電力を自動的に増加するように設定されている。ＵＥが離脱している間、ネットワークは低い信号レベルを調節するために誤ってＴＰＣ命令を送信することになるため、ＵＥがネットワークに復調するとすぐ、ＵＥはアップリンク送信電力を大幅に増やすＴＰＣ命令を受信することになる。
【０１０６】
したがって、本発明の典型的な実施形態においては、離脱の前に、ＵＥはその最新の送信電力を保存する。ＵＥが復調するとすぐ、ＵＥの送信電力は保存された送信電力から再開される。それゆえ、ネットワーク電力調節は、オフセットに応じて相殺される（オフセットは基地局に指示された電力と保存された送信電力との差異と等しい）。いくつかの代替となる変更では、ＵＥはオフセットを減らすよう付加的に試みてもよい。たとえば、ＵＥは基地局が適用しようとしている電力レベルよりわずかに強く送信してよい、つまり、ＵＥが第１の電力で送信し、基地局がＵＥにＸデシベル減衰させるよう命令した場合、ＵＥはＹデシベル（Ｘデシベルよりわずかに小さな減衰）減衰できる。いくらか繰り返して、基地局はＵＥにその信号を減衰させるよう命令し続けることになり、オフセットは最終的にゼロに戻ることになる。
【０１０７】
［時間的整合］
先行技術の実施形態に戻って参照すると、離脱した間にネットワークからのＴＡ命令を見逃した既存のＵＥは同期などを失うことになる。
【０１０８】
したがって、本発明の典型的な実施形態において、ＵＥの時間的整合タイマー（ｔｉｍｅＡｌｉｇｎｍｅｎｔＴｉｍｅｒ）はＵＥが離脱された間も動かし続けられる。ＴＡタイマーが満了した場合、その後ＵＥアップリンクデータ転送はランダムアクセス手順によって（つまり、ＵＥが新たなＴＡ値を受け取るように）再開される。
【０１０９】
［装置］
図３を参照し、典型的なユーザ装置（ＵＥ）装置３００をより詳細に説明する。ＵＥは、（ｉ）１つ以上の無線周波数（ＲＦ）フロントエンド３０２、（ｉｉ）１つ以上のベースバンド・プロセッサ３０４、および（ｉｉｉ）少なくとも１つのアプリケーション・プロセッサ３０６および関連するメモリ３０８、を含む。様々な実施において、ＲＦフロントエンドおよびベースバンド・プロセッサはさらに単一無線技術を扱うように特化、または複数の無線技術を網羅するよう一般化されてよい。
【０１１０】
図示するように、典型的なＵＥは、ＬＴＥネットワークおよびＣＤＭＡ  １Ｘネットワークのそれぞれへインタフェースで接続するよう適応された第１および第２のベースバンド・プロセッサの両方に結合された第１のＲＦフロントエンドを含む。但し、当該構成は単に説明的なものであって、ＧＳＭ、ＧＰＲＳ、ＥＤＧＥ、ＷＣＤＭＡ、ＣＤＭＡ２０００、ＣＤＭＡ  １Ｘ  ＥＶＤＯ、ＬＴＥ−Ａ（ＬＴＥ  Ａｄｖａｎｃｅｄ）等の他のセルラー技術を含んでもよいことは自明である。さらに、簡単ののために単一のＲＦフロントエンドを示す一方、ＲＦフロントエンドは複数の受信アンテナおよび／または送信アンテナおよび／またはチェーンを含みうる（そして一般的には含むこととなる）。たとえば、周知のＭＩＭＯ（Ｍｕｌｔｉｐｌｅ  Ｉｎ  Ｍｕｌｔｉｐｌｅ  Ｏｕｔ）、ＳＩＳＯ（Ｓｉｎｇｌｅ  Ｉｎ  Ｓｉｎｇｌｅ  Ｏｕｔ）、ＭＩＳＯ（Ｍｕｌｔｉｐｌｅ  Ｉｎ  Ｓｉｎｇｌｅ  Ｏｕｔ）、ＳＩＭＯ（Ｓｉｎｇｌｅ  Ｉｎ  Ｍｕｌｔｉｐｌｅ  Ｏｕｔ）のアンテナ構成は関連技術において広く用いられ、これらを本発明に適合させて使用してもよい。
【０１１１】
また、典型的な実施形態において、ＵＥ３００はさらに、いずれか１つ（以上）のベースバンド・プロセッサ３０４を様々な１つ（以上）のアンテナ３０２に接続できるスイッチング機構３１０を含む。図示するところのスイッチング機構はＬＴＥベースバンドまたはＣＤＭＡ  １ＸベースバンドをＲＦフロントエンドに接続するよう適合されている。しかしながら、共通の実施形態において、１つのベースバンド・プロセッサを１つのアンテナ（「一対一」）へ接続してもよく、それ以外にも一対多、多対一等で接続してもよい。この「スイッチング」性能が望ましい理由は数多くあるが、たとえば（ｉ）電源管理、（ｉｉ）処理効率／柔軟性、および（ｉｉｉ）アンテナ分離の制約が移動体機器の無線のサブセットのみがいつでもアクティブであることを要求してよいことを含む。ＳＳＦ（small form factor）設計によっては、動作中に複数のアンテナを完全に分離できる十分な空間がなく、結果として一つのアンテナだけがいつでもアクティブとなりえることがある。同様に、ただ一つの無線インタフェースがいつでも共通アンテナを使用できるようにするために、所定のフォームファクタ設計では、異なる無線インタフェースのためにアンテナを再利用してもよい。なお、当業者には他の動機たとえば商売または利益の考慮、ネットワーク利用率等）も当然に存在するであろうが、本願ではこれ以上議論しない。
【０１１２】
さらに、一般にＵＥ４００内に共通に組み込まれるが、ここでは更に述べていない他のコンポーネントが存在することは理解されよう。たとえば、ＵＥは、ユーザインタフェース・コンポーネント（ディスプレイ画面、ボタン、タッチ画面、ダイアル、など）、メモリ・コンポーネント（たとえばＲＡＭ（Ｒａｎｄｏｍ  Ａｃｃｅｓｓ  Ｍｅｍｏｒｙ）、フラッシュ、ハードディスクドライブ（ＨＤＤ）など）、電源管理コンポーネント（たとえばバッテリ、充電コンポーネントなど）、および外部インタフェース（たとえばＦｉｒｅＷｉｒｅ、Ｕｎｉｖｅｒｓａｌ  Ｓｅｒｉａｌ  Ｂｕｓ（ＵＳＢ）、Ｔｈｕｎｄｅｒｂｏｌｔなど）を含んでよい。
【０１１３】
さらに、図３に示すＵＥは、ただ単に典型的な実施形態の例示であることは理解されるべきである。さらに本発明とともに有用な他の変更は、それぞれが参照により本明細書に組み込まれる、共有および同時係属の同時出願された米国特許出願６１／＿＿＿＿＿＿（２０１１年４月２５日出願、名称「デュアル・ネットワークの携帯機器無線リソース管理」）、米国特許出願６１／＿＿＿＿＿＿（２０１１年４月２２日出願、名称「複数無線アクセス技術間の共存を支援する単一無線機器」）、米国特許出願６１／＿＿＿＿＿＿（２０１１年４月６日出願、名称「複数ネットワークの携帯機器接続管理」）、米国特許出願６１／＿＿＿＿＿＿（２０１１年１月１４日出願、名称「複数アンテナを用いる機器の動的ローディング」）、米国特許出願６１／＿＿＿＿＿＿（２０１１年１月１４日出願、名称「デュアル回路構造を有する複数モードのユーザ装置」）でより詳細に説明される。
【０１１４】
発明の特定の側面を、方法における特定のシーケンスのステップとの関連で記述したが、当該記述は発明のより広範な方法の単なる説明であって、特定のアプリケーションの要求に従って修正されてもよい。特定のステップは特定の状況下では、不要であってもよいし、また、任意的なものとされてもよい。さらに、開示の実施形態に対して特定のステップや機能を追加してもよく、また２以上のステップの実行順序を入れ替えてもよい。そのような変更は全て、明細書及び特許請求の範囲に記載される発明の範囲に含まれるものである。
【０１１５】
以上の詳細な説明においては、様々な実施形態に適用される発明の新規な特徴を示し、説明し、指摘した一方で、説明に係る機器やプロセスの形態および詳細に関する様々な省略、代用、および変更が、発明から逸脱することなく当業者によってなされてよいことは理解されるだろう。本説明は限定を意味するものではなく、むしろ発明の一般的な原理の実例として解釈されるべきである。発明の範囲は特許請求の範囲を参照して決定されるべきである。
【図１】
2015133715.tif 000003
【図２】
2015133715.tif 000004
【図２ａ】
2015133715.tif 000005
【図３】
2015133715.tif 000006
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
間欠的な動作に基づき１以上の測定を修正するように構成された装置であって、
１以上のプロセッサ要素と、
少なくとも１つのコンピュータプログラムを記憶したコンピュータで読取り可能な記憶媒体と
を備え、
前記１以上のプロセッサ要素の少なくとも１つが前記少なくとも１つコンピュータプログラムを実行することにより、前記装置が、
ある継続時間において第１のネットワークから離脱し、
前記継続時間において、前記第１のネットワークと関連する１以上のコンテキスト情報をトラッキングし、
前記第１のネットワークの動作を再開し、
前記１以上のコンテキスト情報に従って、少なくとも１つの測定を調整し、
前記調整された少なくとも１つの測定を第１のネットワークへ通知する
ことを特徴とする装置。
【請求項２】
前記１以上のプロセッサ要素の少なくとも１つが前記少なくとも１つコンピュータプログラムを実行することにより、前記装置が、前記継続時間の間に第２のネットワークへ同調することを特徴とする請求項１に記載の装置。
【請求項３】
前記第１のネットワークはデータ専用ネットワークであることを特徴とする請求項２に記載の装置。
【請求項４】
前記離脱は、ユーザが開始した音声通話に基づくことを特徴とする請求項３に記載の装置。
【請求項５】
前記離脱は、前記第２のネットワークのページングのスケジュールに基づくことを特徴とする請求項３に記載の装置。
【請求項６】
少なくとも第１のネットワークと第２のネットワークとにおけるハイブリッド動作のためにネットワーク管理を修正する装置であって、
１以上のプロセッサ要素と、
少なくとも１つのコンピュータプログラムを記憶したコンピュータで読取り可能な記憶媒体と
を備え、
前記１以上のプロセッサ要素の少なくとも１つが前記少なくとも１つコンピュータプログラムを実行することにより、前記装置が、
前記第１のネットワークに関連する１以上の第１の動作を停止し、
前記停止の間に１以上のコンテキスト情報を保持し、
前記保持された１以上のコンテキスト情報に少なくとも部分的に基づいて、１以上のネットワーク管理パラメータを修正する
をことを特徴とする装置。
【請求項７】
前記１以上のプロセッサ要素の少なくとも１つが前記少なくとも１つコンピュータプログラムを実行することにより、前記装置がさらに、前記第１のネットワークの停止の間に、前記第２のネットワークに関連する１以上の第２の動作を実行可能とすることを特徴とする請求項６に記載の装置。
【請求項８】
前記１以上のプロセッサ要素の少なくとも１つが前記少なくとも１つコンピュータプログラムを実行することにより、前記装置がさらに、タイマーの満了に応じて、前記第１のネットワークに関連する前記１以上の第１の動作を再開し、前記第２のネットワークに関連する前記１以上の第２の動作を無効にすることを特徴とする請求項７に記載の装置。
【請求項９】
前記１以上のプロセッサ要素の少なくとも１つが前記少なくとも１つコンピュータプログラムを実行することにより、前記装置がさらに、前記第１のネットワークの１以上のコンテキスト情報を、前記停止の間にトラッキングされた少なくとも１以上の更新されたコンテキスト情報により補強することを特徴とする請求項６に記載の装置。
【請求項１０】
前記１以上のコンテキスト情報は、セル選択データを含むことを特徴とする請求項６に記載の装置。
【請求項１１】
前記１以上のコンテキスト情報は、システム情報ブロック（ＳＩＢ）情報を含むことを特徴とする請求項６に記載の装置。
【請求項１２】
前記１以上のコンテキスト情報は、無線リンク監視情報の履歴を含むことを特徴とする請求項６に記載の方法。
【請求項１３】
前記１以上のコンテキスト情報は、間欠受信（ＤＲＸ）の試行数を含むことを特徴とする請求項６に記載の方法。
【請求項１４】
前記第１のネットワークはデータ専用ネットワークであることを特徴とする請求項６に記載の方法。
【請求項１５】
前記第１のネットワークは、ＬＴＥ（Long Term Evolution）ネットワークであることを特徴とする請求項１４に記載の装置。
【請求項１６】
間欠的な動作に基づき１以上の測定を修正するための方法であって、
ある継続時間において第１のネットワークから離脱する工程と、
前記継続時間において、前記第１のネットワークと関連する１以上のコンテキスト情報をトラッキングする工程と、
前記第１のネットワークの動作を再開する工程と、
前記１以上のコンテキスト情報に従って、少なくとも１つの測定を調整する工程と、
前記調整された少なくとも１つの測定を第１のネットワークへ通知する工程と
を備えることを特徴とする方法。
【請求項１７】
前記継続時間の間に第２のネットワークへ同調する工程を更に備えることを特徴とする請求項１６に記載の方法。
【請求項１８】
前記第１のネットワークはデータ専用ネットワークであることを特徴とする請求項１７に記載の方法。
【請求項１９】
前記離脱は、ユーザが開始した音声通話に基づくことを特徴とする請求項１８に記載の方法。
【請求項２０】
前記離脱は、前記第２のネットワークのページングのスケジュールに基づくことを特徴とする請求項１８に記載の方法。
【請求項２１】
少なくとも第１のネットワークと第２のネットワークとにおけるハイブリッド動作のためにネットワーク管理を修正する方法であって、
前記第１のネットワークに関連する１以上の第１の動作を停止する工程と、
前記停止の間に１以上のコンテキスト情報を保持する工程と、
前記保持された１以上のコンテキスト情報に少なくとも部分的に基づいて、１以上のネットワーク管理パラメータを修正する工程と
を備えることを特徴とする方法。
【請求項２２】
前記第１のネットワークの停止の間に、前記第２のネットワークに関連する１以上の第２の動作を実行可能とする工程を更に備えることを特徴とする請求項２１に記載の方法。
【請求項２３】
タイマーの満了に応じて、前記第１のネットワークに関連する前記１以上の第１の動作を再開し、前記第２のネットワークに関連する前記１以上の第２の動作を無効にする工程を更に備えることを特徴とする請求項２２に記載の方法。
【請求項２４】
前記第１のネットワークの１以上のコンテキスト情報を、前記停止の間にトラッキングされた少なくとも１以上の更新されたコンテキスト情報により補強する工程を更に備えることを特徴とする請求項２１に記載の方法。
【請求項２５】
前記１以上のコンテキスト情報は、セル選択データを含むことを特徴とする請求項２１に記載の方法。
【請求項２６】
前記１以上のコンテキスト情報は、システム情報ブロック（ＳＩＢ）情報を含むことを特徴とする請求項２１に記載の方法。
【請求項２７】
前記１以上のコンテキスト情報は、無線リンク監視情報の履歴を含むことを特徴とする請求項２１に記載の方法。
【請求項２８】
前記１以上のコンテキスト情報は、間欠受信（ＤＲＸ）の試行数を含むことを特徴とする請求項２１に記載の方法。
【請求項２９】
前記第１のネットワークはデータ専用ネットワークであることを特徴とする請求項２１に記載の方法。
【請求項３０】
前記第１のネットワークは、ＬＴＥ（Long Term Evolution）ネットワークであることを特徴とする請求項２９に記載の方法。
【外国語明細書】
2015133715000001.pdf